(57)【要約】【課題】締結作業を行うことなく、足や履物の大きさに合わせて足を固定する足固定装置を提供する。【解決手段】ペダル１２Ｒの踏み板部１２０に載せた足の踵を受ける踵受け部１２１および足の甲に当接する甲受け部１２２を設ける。踵受け部１２１はクッション１２１Ｃに覆われた踵受けパイプ部材１２１Ａと、踵受けパイプ部材１２１Ａを踏み板部１２０に固定支持するための支持パイプ部材１２１Ｂからなる。甲受け部１２２はクッション１２２Ｃに覆われた甲受けパイプ部材１２２Ｂと、甲受けパイプ部材１２２Ａを踏み板部１２０に固定支持するための支持パイプ部材１２２Ｂからなる。甲受けパイプ部材１２２Ａを斜め上方に屈曲させる。足を支持パイプ部材１２１Ｂ、１２２Ｂ側へ移動して行くと踏み板部１２０、踵受け部１２１、甲受け部１２２により適当な位置で足が挟まれペダル１２Ｒに固定される。【選択図】図２
2007252813.tif 000002
【特許請求の範囲】
【請求項１】
足の裏を載置する足裏載置部と、
踵を当接させる踵受け部と、
甲を当接させる甲受け部とを備え、
前記踵受け部と前記甲受け部は前記足載置部に固定され、足を挟み込むように作用する
ことを特徴とする足固定装置。
【請求項２】
前記甲受け部を上方に向けて屈曲させたことを特徴とする請求項１に記載の足固定装置。
【請求項３】
前記甲受け部が前記足裏載置部に対して斜めに配置された第１ロッド部材を備えることを特徴とする請求項１に記載の足固定装置。
【請求項４】
前記第１ロッド部材が前記踵受け部に対して斜めに配置されたことを特徴とする請求項３に記載の足固定装置。
【請求項５】
前記第１ロッド部材の一端が前記足裏載置部に固定されるとともに、前記第１ロッド部材の他端に近づくにしたがって、前記第１ロッド部材の前記足裏載置部に対する距離が大きくなることを特徴とする請求項３に記載の足固定装置。
【請求項６】
前記第１ロッド部材の前記他端に近づくにしたがって、前記第１ロッド部材の前記踵受け部に対する距離が大きくなることを特徴とする請求項５に記載の足固定装置。
【請求項７】
前記踵受け部が第２ロッド部材を備え、前記第２ロッド部材が前記踵の上側に当接することを特徴とする請求項６に記載の足固定装置。
【請求項８】
前記他端が、足を前記足固定装置に装着したときに前記足の外側に対応することを特徴とする請求項６に記載の足固定装置。
【請求項９】
前記第１および第２ロッド部材が、筒型クッションで覆われたことを特徴とする請求項７に記載の足固定装置。
【請求項１０】
前記甲受け部および前記踵受け部がクッションで覆われたことを特徴とする請求項１〜２の何れか一項に記載の足固定装置。
【請求項１１】
踵を前記踵受け部に当てながら前記足裏載置部と前記甲受け部の間に甲を側方から挿入すると、足の大きさに合った位置で足が固定されることを特徴とする請求項１に記載の足固定装置。
【発明の詳細な説明】
【技術分野】
【０００１】
本発明は、足を固定するための装置または機構に関する。
【背景技術】
【０００２】
例えば、運動訓練機などにおいては、足をペダルや所定の位置に固定して用いられるものがある。このような場合、足の固定には例えば踵を踵受け部に当てた後、足または履物の大きさに合わせて足の甲をベルト、ベルクロテープ、バックルなどにより締め付けて固定する方法が用いられる（特許文献１）。また、腹筋運動用器具では、平行に上下２本のパイプを配置し、下側のパイプに足の踵部を載せて上側のパイプの背面に足の甲部を当てることにより足を固定する方法が知られている（特許文献２）。
【特許文献１】特開２００１−３４６８４０号公報
【特許文献２】実公平７−２２２８４号公報
【発明の開示】
【発明が解決しようとする課題】
【０００３】
しかし、足の甲をベルトやベルクロテープ、バックルなどで締結する場合には、身体を屈めて締結作業を行う必要がある。しかし、高齢者、身体の硬い人、お腹が出ている人などにとっては、手を足まで伸ばしてこの締結作業を行うことは非常に困難であり、締結作業を行う補助者が必要となる。
【０００４】
また、腹筋運動用器具などで用いられる２本のパイプを利用して足を固定する方法は、足を前後方向および足を引く方向に固定することはできるが、その他の方向に足を固定することはできないうえ、足や履物の大きさに合わせた調整を行うこともできない。
【０００５】
本願発明は、締結作業を行うことなく、足や履物の大きさに合わせて足を固定することができる足固定装置を提供することを目的としている。
【課題を解決するための手段】
【０００６】
本発明の足固定装置は、足の裏を載置する足裏載置部と、踵を当接させる踵受け部と、甲を当接させる甲受け部とを備え、踵受け部と甲受け部は足載置部に固定され、足を挟み込むように作用することを特徴としている。
【０００７】
甲受け部は上方に向けて屈曲されており、踵を踵受け部に当てながら足裏載置部と甲受け部の間に甲を側方から挿入すると、足の大きさに合った位置で足が固定され、足裏載置部と踵受け部と甲受け部により、足の位置が足裏載置部に対して前後方向および上下方向に固定される。すなわち、足裏載置部における足の横方向の位置により、甲に当接する甲受け部の足裏載置部または踵受け部に対する距離が異なる。また甲受け部および踵受け部はクッションで覆われている。
【０００８】
甲受け部は、足裏載置部に対して斜めに配置された第１ロッド部材を備え、第１ロッド部材は、踵受け部に対して斜めに配置される。また、第１ロッド部材の一端は足裏載置部に固定されるとともに、第１ロッド部材の他端に近づくにしたがって、第１ロッド部材の足裏載置部に対する距離が大きくなり、第１ロッド部材の他端に近づくにしたがって、第１ロッド部材の踵受け部に対する距離が大きくなる。
【０００９】
踵受け部は第２ロッド部材を備え、第２ロッド部材が踵の上側に当接する。また他端は、足を足固定装置に装着したときに足の外側に対応する。更に、第１および第２ロッド部材は、筒型クッションで覆われる。
【００１０】
また、本発明のペダルは、上記足固定装置を適用したことを特徴とする。
【発明の効果】
【００１１】
以上のように、本発明によれば、締結作業を行うことなく、足や履物の大きさに合わせて足を固定することができる足固定装置を提供することができる。
【発明を実施するための最良の形態】
【００１２】
以下、本発明の実施の形態を、図面を参照して説明する。
図１は、本発明の一実施形態である足固定装置を適用した運動訓練機の概略を示す斜視図である。
【００１３】
本実施形態の運動訓練機１０は、下肢の屈伸運動により下肢筋肉の強化を図る機具である。運動訓練機１０は、座席１１に使用者Ｐが着座し、左右の足を前方のペダル１２Ｌ、１２Ｒに装着して使用される。一定の負荷の下、使用者Ｐは左右の脚を屈伸させ、ペダル１２Ｌ、１２Ｒを水平に前後させる。負荷は、脚を伸ばすときと縮めるときの両方で与えられ、これにより脚を伸ばすときに使われる筋肉および脚を縮めるときに使われる筋肉の強化が図られる。
【００１４】
したがって、使用者Ｐの足はペダル１２Ｌ、１２Ｒを押すときにも引くときにもペダル１２Ｌ、１２Ｒに固定されている必要があり、図１には明示されないが、ペダル１２Ｌ、１２Ｒには本実施形態の足固定装置が設けられる。すなわち使用者Ｐの足は本実施形態の足固定装置によりペダル１２Ｌ、１２Ｒに固定され、屈伸運動中に足がペダル１２Ｌ、１２Ｒから外れることはない。
【００１５】
次に図２〜図７を参照して本実施形態における足固定装置の詳細な構成について説明する。図２〜図７は、それぞれ右足用のペダル１２Ｒに関する拡大斜視図、上面図、左側面図、右側面図、背面図、底面図である。左用のペダル１２Ｌに関しては、ペダル１２Ｒを左右反転させた構成であるためその説明を省略する。
【００１６】
各図２〜７に示されるように、ペダル１２Ｒは、足の裏を載せるための踏み板部（足裏載置部）１２０と、踵を受ける踵受け部１２１と、甲に当接する甲受け部１２２とを備える。踏み板部１２０は、例えば足の裏を受けるのに十分な大きさの板部材からなり、踵受け部１２１および甲受け部１２２は、ロッド状の部材からなる。また踵受け部１２１および甲受け部１２２の一方の端部は踏み板部１２０に連結され固定される。
【００１７】
踵受け部１２１は、例えば踏み板部１２０の長手方向に直行し、踏み板部１２０に平行に配置される踵受けパイプ部材１２１Ａと、踵受けパイプ部材１２１Ａの左端（右足内側に対応）に連結され踵受けパイプ部材１２１Ａを踏み板部１２０に支持固定する支持パイプ部材１２１Ｂとを備える。踵受けパイプ部材１２１Ａの右端（右足外側に対応）は開放端（自由端）であり、踵受けパイプ部材１２１Ａにはスポンジ等のクッション１２１Ｃが装着される。クッション１２１Ｃは、踵受けパイプ部材１２１Ａの左右の端にそれぞれ設けられたクッション受け部１２１Ｄ、１２１Ｅによって把持固定される。なお踵受け部１２１の踏み板部１２０に対する高さは、支持パイプ部材１２１Ｂの位置を調整することにより調整される。
【００１８】
一方、甲受け部１２２は、例えば踏み板部１２０を斜めに横切り、踏み板部１２０の面に対して斜め上方に屈曲されて配置される甲受けパイプ部材１２２Ａと、甲受けパイプ部材１２２Ａの左端（右足内側に対応）に連結され甲受けパイプ部材１２２Ａを踏み板部１２０に支持固定する支持パイプ部材１２２Ｂとを備える。甲受けパイプ部材１２２Ａの右端（右足外側に対応）は開放端（自由端）であり、甲受けパイプ部材１２２Ａにはスポンジ等のクッション１２２Ｃが装着される。クッション１２２Ｃは、甲受けパイプ部材１２２Ａの左右の端にそれぞれ設けられたクッション受け部１２２Ｄ、１２２Ｅによって把持固定される。なお、甲受け部１２２の踏み板部１２０に対する高さは、支持パイプ部材１２２Ｂの位置を調整することにより調整される。
【００１９】
右足をペダル１２Ｒへ装着する際、使用者は、ペダル１２Ｒの右側から踵を踵受け部１２１に当てながら、踏み板部１２０と甲受け部１２２の間に甲を滑り込ませるようにして右足をペダル１２Ｒに固定する（図３、図６の矢印Ａ方向に足を移動）。すなわち、甲受け部１２２が踏み板部１２０の面に対して斜めに配置され（例えば図４において角度α）、開放端側から支持パイプ部材１２２Ｂ側の基端部側に行くに従い踏み板部１２０と甲受け部１２２の間の距離が短くなるので、足を基端部側に向けて移動していくと、特定の位置で、甲受け部１２２と踏み板部１２０との間に足が挟まれ固定される。
【００２０】
また、甲受け部１２２は踵受け部１２１に対しても斜めに配置され（例えば図３において角度β）、開放端側から支持パイプ部材１２２Ｂ側の基端部側に行くに従い踵受け部１２１と甲受け部１２２の間の距離が短くなるので、足を基端部側に向けて移動していくと、特定の位置で、甲受け部１２２と踵受け部１２１との間に足首が挟まれ固定される。なお、以上の説明は、右足用のペダル１２Ｒについて説明されたが、左足用のペダル１２Ｌについても左右が逆になるだけで同様である。
【００２１】
以上のように、本実施形態の足固定装置によれば、締結作業を行うことなく、足を側方にずらすだけで、足を踏み板部と甲受け部と踵受け部との間に確りと挟み込みペダル等の足固定部に固定することができる。また、甲受け部と踏み板部の距離、甲受け部と踵受け部の距離は足を奧に入れるにつれて狭くなるので、足の大きさや履物の大きさが異なっても、大きさに合った特定の位置で足が固定される。
【００２２】
また、本実施形態の足固定装置によれば、足を外側にスライドさせない限り、足がペダルなどの足固定部から離れることがないので、本実施形態における運動訓練機のように一定の負荷の下、足を引き上げたり押し下げたりする動作を行うにおいても、足がペダルから離れることなく、下肢の筋力トレーニングを行うことができる。また、その構成から明らかなように、本実施形態の足固定装置では、足の前後方向の運動や内側方向に向けた運動においても足の位置を足固定部に対して固定することができる。
【００２３】
その一方で、本実施形態の構成によれば、足を外側にスライドさせれば、簡単に足を足固定部から外すことができるので、訓練終了時には素早く足を足固定部から外すことができる。これは特に緊急時においては著しい効果を奏する。
【００２４】
なお、本実施形態では、甲受け部の屈曲は直線的であったが、開放端側から基端部側へ行くに従い狭くなる構造であれば、甲受け部は曲線的であってもよい。また、本実施形態では、外側から内側に向けて足を挿入する構成としたが、左右のペダルを交換して、内側から外側に足をスライドさせて足を固定する構成とすることもできる。
【００２５】
また、本実施形態では、ペダルに本発明に関わる足固定装置を適用したが、例えば、足を所定の位置に固定しての運動や作業、あるいは胃のＸ線撮影のときのように、患者が回転する台の上で身体を所定位置に保持する場合においても、床や台座などの固定部に本実施形態の足固定装置を用いることも可能である。
【図面の簡単な説明】
【００２６】
【図１】本発明の一実施形態である足固定装置を適用した運動訓練機の概略を示す斜視図である。
【図２】右足用ペダルに関する拡大斜視図である。
【図３】右足用ペダルの上面図である。
【図４】右足用ペダルの左側面図である。
【図５】右足用ペダルの右側面図である。
【図６】右足用ペダルの背面図である。
【図７】右足用ペダルの底面図である。
【符号の説明】
【００２７】
１０  運動訓練機
１２Ｌ  左足用ペダル
１２Ｒ  右足用ペダル
１２０  踏み板部（足裏載置部）
１２１  踵受け部
１２１Ａ  踵受けパイプ部材（第２ロッド部材）
１２２  甲受け部
１２２Ａ  甲受けパイプ部材（第１ロッド部材）
１２１Ｃ、１２２Ｃ  クッション
【図１】
2007252813.tif 000003
【図２】
2007252813.tif 000004
【図３】
2007252813.tif 000005
【図４】
2007252813.tif 000006
【図５】
2007252813.tif 000007
【図６】
2007252813.tif 000008
【図７】
2007252813.tif 000009